(57)【要約】      （修正有）【課題】優れたインタラクティブ性を備える音声制御発光ペン及びその音声制御発光構造を提供する。【解決手段】音声制御発光ペンは、本体２０及び音声制御発光構造１０を備え、本体２０はペン管２０１及びペン管内部に取り付けられるペン芯２０２を備え、音声制御発光構造１０はペン管に連接し、殼体１、光透過フィルム２、マイク４、発光部材５及びコントローラー６を備え、殼体１は光透過部１１を備え、光透過フィルム２は光透過部を覆い、回路基板３は殼体内部に収容設置され、マイク４は回路基板に装着され、電気的に連接され、マイク４は音声変化感知信号を発し、発光部材５は回路基板に装着され、電気的に連接され、発光部材５は光透過部に対応して配置され、コントローラー６は回路基板に装着され、電気的に連接され、感知信号を受信後、発光部材の発光をコントロールする。【選択図】図２
0003206774.tif 000002
【実用新案登録請求の範囲】
【請求項１】
音声制御発光構造は、殻体、光透過フィルム、回路基板、マイク、発光部材、コントローラーを備え、
該殼体は、光透過部を備え、
該光透過フィルムは、該光透過部を覆い、
該回路基板は、該殼体内部に収容設置され、
該マイクは、該回路基板に装着され、しかも電気的に連接され、該マイクは、音声変化を感知し、感知信号を発し、
該発光部材は、該回路基板に装着され、しかも電気的に連接され、該発光部材は、該光透過部に対応して配置され、
該コントローラーは、該回路基板に装着され、しかも電気的に連接され、該コントローラーは、該感知信号を受信後、該発光部材の発光をコントロールすることを特徴とする音声制御発光構造。
【請求項２】
前記殻体は、環状壁を備え、
該光透過部は、該環状壁上に開設する少なくとも１個の模様化貫通槽を備え、
該光透過フィルムは、取り囲む方式で、該環状壁を覆い、しかも該模様化貫通槽を遮蔽することを特徴とする請求項１に記載の音声制御発光構造。
【請求項３】
前記発光部材は、該回路基板上に装着する複数の発光ダイオードを備え、
該複数の発光ダイオードは、該光透過部に対応して配置されることを特徴とする請求項１に記載の音声制御発光構造。
【請求項４】
前記殼体は、環状壁を備え、
該環状壁内部には、２個の陥没係合溝を備え、
該回路基板の両側は、該２個の陥没係合溝にそれぞれ係合され、しかも定位されることを特徴とする請求項３に記載の音声制御発光構造。
【請求項５】
前記音声制御発光構造はさらに、定位ブロックを備え、
該定位ブロックは、該殼体内部に固定し、該環状壁内部は、二対の細長リブを延伸し、
該定位ブロックには、該二対の細長リブ下方にそれぞれ配置される２個の挿入口を設置し、該各陥没係合溝は、該各対の細長リブと該各挿入口との間に形成されることを特徴とする請求項４に記載の音声制御発光構造。
【請求項６】
前記光透過部の数は、２個で、
該２個の光透過部は、該殼体の相対する両側にそれぞれ設置し、
該複数の発光ダイオードは、該回路基板の相対する両面にそれぞれ装着され、しかも該２個の光透過部に対応して配置されることを特徴とする請求項３に記載の音声制御発光構造。
【請求項７】
音声制御発光ペンは、本体、請求項１?６の任意の一項に記載する音声制御発光構造を備え、
該本体は、ペン管、及び該ペン管内部に取り付けられるペン芯を備え、
該音声制御発光構造は、該ペン管に連接されることを特徴とする請求項１?６の任意の一項に記載の音声制御発光ペン。
【請求項８】
前記ペン管頂端には、第一ネジヤマを設置し、
該殼体は、中空管で、該中空管底端には、第二ネジヤマを設置し、
該第一ネジヤマと該第二ネジヤマとは、組合せ/分解可能状に相互に螺接されることを特徴とする請求項７に記載の音声制御発光ペン。
【請求項９】
前記音声制御発光構造は、さらにキャップ、マイクを備え、
該キャップは、該中空管頂端に挿入し、該キャップには、收音孔を設置し、
該マイクは、該收音孔近くに配置されることを特徴とする請求項８に記載の音声制御発光ペン。
【請求項１０】
前記音声制御発光構造はさらに、電池、導電バネ及び電線を備え、
該電池は、該ペン管内部に収容設置され、
該導電バネは、該回路基板に接続され、該導電バネは、該回路基板と該電池との間に挟まれ、しかも該回路基板と該電池に電気的に連接され、
該電線両端は、該回路基板と該電池にそれぞれ電気的に連接されることを特徴とする請求項８に記載の音声制御発光ペン及びその音声制御発光構造。
【考案の詳細な説明】
【技術分野】
【０００１】
本考案は、音声制御及び発光機能を備えた装飾品或いは文具に関し、特に音声制御発光ペン及びその音声制御発光構造に関する。
【背景技術】
【０００２】
生活の質の向上に伴い、生活における娯楽を重視する人が増えている。
それに伴い、市場ではたくさんの種類のキュート系、癒し系、或いは特色のある装飾品や文具が販売されている。
これらさまざまな装飾品或いは文具は、環境の雰囲気を良くし、また使用の楽しさを高めるため、人々の購買意欲を強化することができる。
【０００３】
しかし、良く目にする装飾品或いは文具の多くは、見た目を重点とし、音声や光を配したものは多くない。
またたとえ、音声や光を配したものであっても、しばしばただボタンが一つついており、それを押せば、装飾品或いは文具から音楽が流れたり、光が点滅したり、という程度であったりする。
【０００４】
つまり、装飾品或いは文具と使用者とが、双方向コミュニケーションをとれるような製品は多くない。
本考案は、従来の装飾品或いは文具の上記した欠点に鑑みてなされたものである。
【先行技術文献】
【特許文献】
【０００５】
【特許文献１】ＷＯ２０１２／１２０８１０号公報
【考案の概要】
【考案が解決しようとする課題】
【０００６】
本考案が解決しようとする課題は、マイクを利用し音声変化を感知し感知信号を発し、コントローラーは感知信号を受信後、発光部材の発光をコントロールし、音声制御発光ペン及び音声制御発光構造は使用者の音声を受信後、光の効果を生じ、音声制御発光ペン及び音声制御発光構造は優れたインタラクティブ性を生じる音声制御発光ペン及びその音声制御発光構造を提供することである。
【課題を解決するための手段】
【０００７】
上記課題を解決するため、本考案は下記の音声制御発光ペン及びその音声制御発光構造を提供する。
音声制御発光構造は、殻体、光透過フィルム、回路基板、マイク、発光部材、コントローラーを備え、
該殼体は、光透過部を備え、
該光透過フィルムは、該光透過部を覆い、
該回路基板は、該殼体内部に収容設置され、
該マイクは、該回路基板に装着され、しかも電気的に連接され、該マイクは、音声変化を感知し、感知信号を発し、
該発光部材は、該回路基板に装着され、しかも電気的に連接され、該発光部材は、該光透過部に対応して配置され、
該コントローラーは、該回路基板に装着され、しかも電気的に連接され、該コントローラーは、該感知信号を受信後、該発光部材の発光をコントロールし、
音声制御発光ペンは、本体、音声制御発光構造を備え、
該本体は、ペン管、及び該ペン管内部に取り付けられるペン芯を備え、
該音声制御発光構造は、該ペン管に連接される。
【考案の効果】
【０００８】
本考案の音声制御発光ペン及びその音声制御発光構造の光透過フィルムは光透過部を覆うため、発光部材の未発光時には、音声制御発光構造及び音声制御発光ペンの外側は光透過フィルムの図或いは色彩だけが見え、発光部材が発光すると発光部材の光線は光透過フィルムを透過し模様化貫通槽の設計を表現し、こうして音声制御発光構造及び音声制御発光ペンの娯楽性を強化できる。
【図面の簡単な説明】
【０００９】
【図１】本考案音声制御発光ペンの立体組合せ図である。
【図２】本考案音声制御発光ペンの立体分解図である。
【図３】本考案音声制御発光ペンの断面模式図である。
【図４】本考案音声制御発光ペンの別種の実施形態の断面模式図である。
【考案を実施するための形態】
【００１０】
以下に図面を参照しながら本考案を実施するための最良の形態について詳細に説明する。
【実施例】
【００１１】
図１?図３に示すように、本考案の音声制御発光ペン及びその音声制御発光構造において、音声制御発光構造１０は、殼体１、光透過フィルム２、回路基板３、マイク４、発光部材５及びコントローラー６を備える。
【００１２】
音声制御発光ペン１００は、本体２０及び音声制御発光構造１０を備える。図１?図３に示すように、本体２０は、ペン管２０１、及び該ペン管２０１内部に取り付けられるペン芯２０２を備え、該ペン管２０１頂端には、第一ネジヤマ２０１１を設置する。
【００１３】
図１?図３に示すように、該殼体１は、光透過部１１を備え、該殼体１は、環状壁１２を備える。
該光透過部１１は、環状壁１２上に開設する１個或いは複数の模様化貫通槽１１１を備える。
該模様化貫通槽１１１は、数字、英語、或いは中国語の文字、或いは該模様化貫通槽１１１は、円形、三角形、方形、多辺形等の幾何図形である。
【００１４】
図２、図３に示すように、該環状壁１２内部には、２個の陥没係合溝１２１を備え、しかも該環状壁１２内部には、二対の細長リブ１２２を延伸する。
該殼体１は、中空管１３で、該中空管１３底端には、第二ネジヤマ１３１を設置し、該第一ネジヤマ２０１１と該第二ネジヤマ１３１とは、組合せ/分解可能状に相互に螺接し、こうして音声制御発光構造１０は該ペン管２０１上に連接される。
【００１５】
さらに、図２、図３に示すように、該音声制御発光構造１０は、キャップ１４及び定位ブロック１５をさらに備え、該キャップ１４は、該中空管１３頂端に挿入し、該キャップ１４には、收音孔１４１を設置する。
【００１６】
該定位ブロック１５は、該殼体１内部に固定し、該定位ブロック１５には、二対の細長リブ１２２下方にそれぞれ配置される２個の挿入口１５１を設置する。
該各陥没係合溝１２１は、各対の細長リブ１２２と各挿入口１５１との間に形成される。
【００１７】
図１?図３に示すように、該光透過フィルム２は、該光透過部１１を覆い、該光透過フィルム２は、取り囲む方式で、該環状壁１２を覆い、しかも該模様化貫通槽１１１を遮蔽する。
【００１８】
図２、図３に示すように、該回路基板３の両側は、該２個の陥没係合溝１２１にそれぞれ係合され、しかも定位され、これにより該回路基板３は、該殼体１内部に収容設置される。
【００１９】
図２、図３に示すように、該マイク４は、該回路基板３に装着され、しかも電気的に連接される。
該マイク４は、音声変化を感知し（例えば、使用者が「誕生日おめでとう」、「愛してるよ」等の製品に設定された言葉を発する）、感知信号を発する。
その中，マイク４鄰近收音孔１４１配置，使マイク４更方便しかも清楚接收音声。
【００２０】
図２、図３に示すように、該発光部材５は、該回路基板３に装着され、しかも電気的に連接される。
該発光部材５は、該光透過部１１に対応して配置され、該発光部材５は、回路基板３上に装着される複数の発光ダイオード５１を備え、該複数の発光ダイオード５１は、該光透過部１１に対応して配置される。
【００２１】
図２、図３に示すように、該コントローラー６は、該回路基板３に装着され、しかも電気的に連接され、該コントローラー６は、感知信号を受信後、該発光部材５の発光をコントロールする。
【００２２】
図２、図３に示すように、該音声制御発光構造１０は、電池７、導電バネ８及び電線９をさらに備える。
該電池７は、該ペン管２０１内部に収容設置され、該導電バネ８は、該回路基板３に接続される。
【００２３】
該導電バネ８は、該回路基板３と該電池７との間に挟まれ、しかも該回路基板３と電池７とに電気的に連接し、該電線９両端は、該回路基板３と該電池７とに電気的に連接し、これにより該電池７は、該回路基板３に電気を供給すうることができる。
【００２４】
図３に示すように、本考案音声制御発光構造１０の組合せは、殼体１、光透過フィルム２、回路基板３、マイク４、発光部材５、コントローラー６を備える。
該殼体１は、光透過部１１を備える。
該光透過フィルム２は、該光透過部１１を覆う。
該回路基板３は、該殼体１内部に収容設置される。
【００２５】
該マイク４は、該回路基板３に装着され、しかも電気的に連接され、該マイク４は、音声変化を感知し、感知信号を発する。
該発光部材５は、該回路基板３に装着され、しかも電気的に連接され、該発光部材５は、該光透過部１１に対応して配置される。
【００２６】
該コントローラー６は、該回路基板３に装着され、しかも電気的に連接され、該コントローラー６は、感知信号を受信後、該発光部材５の発光をコントロールする。
【００２７】
図２、図３に示すように、本考案音声制御発光ペン１００の組合せは、本体２０を備える。
該本体２０は、ペン管２０１、及び該ペン管２０１内部に取り付けられるペン芯２０２を備え、該音声制御発光構造１０は、該ペン管２０１に連接される。
【００２８】
使用者が「誕生日おめでとう」、「愛してるよ」等の製品に設定された言葉を発すると、該マイク４は「誕生日おめでとう」、「愛してるよ」等の製品に設定された音声を感知し、感知信号を発する。
該コントローラー６は、感知信号を受信後、該発光部材５の発光をコントロールし、該音声制御発光ペン１００及び該音声制御発光構造１０は、製品に設定された音声を受け取り光の効果を生じ、こうして本考案製品と使用者との間には、インタラクティブ性と娯楽性が生まれる。
【００２９】
本考案音声制御発光構造１０は、ペン管２０１上への設置に限定されず、音声制御発光構造１０は、人形或いは写真フレーム等の装飾品に設置したり、掛けて用いることもできる。
【００３０】
本考案の最適実施形態は、音声制御発光構造１０をペン管２０１に設置して音声制御発光ペン１００を構成し、これにより音声制御発光ペン１００は、もともとの筆記の機能の他に、愉快な使用のインタラクティブ性と娯楽性を加えることができる。
【００３１】
さらに、該光透過フィルム２は、該光透過部１１を覆うため、該発光部材５の未発光時には、音声制御発光構造１０及び音声制御発光ペン１００の外観からは、光透過フィルム２の図或いは色彩のみが見える。
けれども、該発光部材５の発光時には、該発光部材５の光線は、該光透過フィルム２を透過し、該模様化貫通槽１１１の設計を浮かび上がらせるため、音声制御発光構造１０及び音声制御発光ペン１００の娯楽性をさらに強化できる。
【００３２】
該環状壁１２内部には、２個の陥没係合溝１２１を備え、該回路基板３の両側は、該２個の陥没係合溝１２１にそれぞれ係合され、しかも定位され、該ペン管２０１頂端には、第一ネジヤマ２０１１を設置する。
該殼体１底端には、第二ネジヤマ１３１を設置し、該第一ネジヤマ２０１１と該第二ネジヤマ１３１とは、組合せ/分解可能状に相互に螺接し、こうして該音声制御発光ペン１００は組み立て、及び分解修理が便利となる。
【００３３】
図４は、本考案音声制御発光ペン１００及び音声制御発光構造１０の別種の実施形態を示す。
図４に示す実施形態と図１?図３に示す実施形態とはおおよそ相同であるが、図４に示す実施形態と図１?図３に示す実施形態との差異は、光透過部１１の数が２個である点である。
【００３４】
該２個の光透過部１１は、該殼体１の相対する両側にそれぞれ設置し、該複数の発光ダイオード５１は、回路基板３の相対する両面にそれぞれ取り付けられる。
【００３５】
しかも、該回路基板３の一面上の複数の発光ダイオード５１は、その光透過部１１に対応して配置され、該回路基板３反対面上の複数の発光ダイオード５１は、もう一つの光透過部１１に対応して配置され、これにより該音声制御発光ペン１００及び該音声制御発光構造１０は、より多くの視覚方向及び角度の光効果を実現することができる。
【００３６】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００３７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３８】
１０  音声制御発光構造
１  殼体
１１  光透過部
１１１  模様化貫通槽
１２  環状壁
１２１  陥没係合溝
１２２  細長リブ
１３  中空管
１３１  第二ネジヤマ
１４  キャップ
１４１  收音孔
１５  定位ブロック
１５１  挿入口
２  光透過フィルム
３  回路基板
４  マイク
５  発光部材
５１  発光ダイオード
６  コントローラー
７  電池
８  導電バネ
９  電線
２０  本体
２０１  ペン管
２０１１  第一ネジヤマ
２０２  ペン芯
【図１】
0003206774.tif 000003
【図２】
0003206774.tif 000004
【図３】
0003206774.tif 000005
【図４】
0003206774.tif 000006
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
音声制御発光構造は、殻体、光透過フィルム、回路基板、マイク、発光部材、コントローラーを備え、
該殼体は、光透過部を備え、
該光透過フィルムは、該光透過部を覆い、
該回路基板は、該殼体内部に収容設置され、
該マイクは、該回路基板に装着され、しかも電気的に連接され、該マイクは、音声変化を感知し、感知信号を発し、
該発光部材は、該回路基板に装着され、しかも電気的に連接され、該発光部材は、該光透過部に対応して配置され、
該コントローラーは、該回路基板に装着され、しかも電気的に連接され、該コントローラーは、該感知信号を受信後、該発光部材の発光をコントロールすることを特徴とする音声制御発光構造。
【請求項２】
前記殻体は、環状壁を備え、
該光透過部は、該環状壁上に開設する少なくとも１個の模様化貫通槽を備え、
該光透過フィルムは、取り囲む方式で、該環状壁を覆い、しかも該模様化貫通槽を遮蔽することを特徴とする請求項１に記載の音声制御発光構造。
【請求項３】
前記発光部材は、該回路基板上に装着する複数の発光ダイオードを備え、
該複数の発光ダイオードは、該光透過部に対応して配置されることを特徴とする請求項１に記載の音声制御発光構造。
【請求項４】
前記殼体は、環状壁を備え、
該環状壁内部には、２個の陥没係合溝を備え、
該回路基板の両側は、該２個の陥没係合溝にそれぞれ係合され、しかも定位されることを特徴とする請求項３に記載の音声制御発光構造。
【請求項５】
前記音声制御発光構造はさらに、定位ブロックを備え、
該定位ブロックは、該殼体内部に固定し、該環状壁内部は、二対の細長リブを延伸し、
該定位ブロックには、該二対の細長リブ下方にそれぞれ配置される２個の挿入口を設置し、該各陥没係合溝は、該各対の細長リブと該各挿入口との間に形成されることを特徴とする請求項４に記載の音声制御発光構造。
【請求項６】
前記光透過部の数は、２個で、
該２個の光透過部は、該殼体の相対する両側にそれぞれ設置し、
該複数の発光ダイオードは、該回路基板の相対する両面にそれぞれ装着され、しかも該２個の光透過部に対応して配置されることを特徴とする請求項３に記載の音声制御発光構造。
【請求項７】
音声制御発光ペンは、本体、請求項１〜６の任意の一項に記載する音声制御発光構造を備え、
該本体は、ペン管、及び該ペン管内部に取り付けられるペン芯を備え、
該音声制御発光構造は、該ペン管に連接されることを特徴とする請求項１〜６の任意の一項に記載の音声制御発光ペン。
【請求項８】
前記ペン管頂端には、第一ネジヤマを設置し、
該殼体は、中空管で、該中空管底端には、第二ネジヤマを設置し、
該第一ネジヤマと該第二ネジヤマとは、組合せ/分解可能状に相互に螺接されることを特徴とする請求項７に記載の音声制御発光ペン。
【請求項９】
前記音声制御発光構造は、さらにキャップ、マイクを備え、
該キャップは、該中空管頂端に挿入し、該キャップには、收音孔を設置し、
該マイクは、該收音孔近くに配置されることを特徴とする請求項８に記載の音声制御発光ペン。
【請求項１０】
前記音声制御発光構造はさらに、電池、導電バネ及び電線を備え、
該電池は、該ペン管内部に収容設置され、
該導電バネは、該回路基板に接続され、該導電バネは、該回路基板と該電池との間に挟まれ、しかも該回路基板と該電池に電気的に連接され、
該電線両端は、該回路基板と該電池にそれぞれ電気的に連接されることを特徴とする請求項８に記載の音声制御発光ペン。
【手続補正２】
【補正対象書類名】明細書
【補正対象項目名】００１１
【補正方法】変更
【補正の内容】
【００１１】
図１〜図３に示すように、本考案の音声制御発光ペン及びその音声制御発光構造において、音声制御発光構造１０は、殼体１、光透過フィルム２、回路基板３、マイク４、発光部材５及びコントローラー６を備える。
【手続補正３】
【補正対象書類名】明細書
【補正対象項目名】００１２
【補正方法】変更
【補正の内容】
【００１２】
音声制御発光ペン１００は、本体２０及び音声制御発光構造１０を備える。図１〜図３に示すように、本体２０は、ペン管２０１、及び該ペン管２０１内部に取り付けられるペン芯２０２を備え、該ペン管２０１頂端には、第一ネジヤマ２０１１を設置する。
【手続補正４】
【補正対象書類名】明細書
【補正対象項目名】００１３
【補正方法】変更
【補正の内容】
【００１３】
図１〜図３に示すように、該殼体１は、光透過部１１を備え、該殼体１は、環状壁１２を備える。
該光透過部１１は、環状壁１２上に開設する１個或いは複数の模様化貫通槽１１１を備える。
該模様化貫通槽１１１は、数字、英語、或いは中国語の文字、或いは該模様化貫通槽１１１は、円形、三角形、方形、多辺形等の幾何図形である。
【手続補正５】
【補正対象書類名】明細書
【補正対象項目名】００１７
【補正方法】変更
【補正の内容】
【００１７】
図１〜図３に示すように、該光透過フィルム２は、該光透過部１１を覆い、該光透過フィルム２は、取り囲む方式で、該環状壁１２を覆い、しかも該模様化貫通槽１１１を遮蔽する。
【手続補正６】
【補正対象書類名】明細書
【補正対象項目名】００３３
【補正方法】変更
【補正の内容】
【００３３】
図４は、本考案音声制御発光ペン１００及び音声制御発光構造１０の別種の実施形態を示す。
図４に示す実施形態と図１〜図３に示す実施形態とはおおよそ相同であるが、図４に示す実施形態と図１〜図３に示す実施形態との差異は、光透過部１１の数が２個である点である。